(57)【要約】【課題】金属材料を使用せず、廃棄が容易であり、従来にない形状を有しており、かつ箸置きとしても使用できるうちわ形飾りを提供する。【解決手段】扇ぎ部２と持ち手３とを備えたうちわの形状をした飾り物であって、飾り物が、持ち手３の部分が、屈曲可能であって、かつ、屈曲させた状態で、その形状を保持可能な素材によって形成されている。従来見られなかったうちわ形状のかざりであるから、新鮮な感じを与えることができる。とくに、夏に提供される仕出しなどであれば、季節感と涼しげな雰囲気を見る者に与えることができる。また、持ち手の部分が、屈曲可能であって、かつ、屈曲させた状態で保持可能な素材によって形成されているから、例えば、箸置きの形状に屈曲させれば、箸置きとしても使用可能であり、飾りだけでなく、実用品としても使用することができる。【選択図】図１
0003103883.tif 000002
【実用新案登録請求の範囲】
【請求項１】
扇ぎ部と持ち手とを備えたうちわの形状をした飾り物であって、
該飾り物が、
前記持ち手の部分が、屈曲可能であって、かつ、屈曲させた状態で、その形状を保持可能な素材によって形成されている
ことを特徴とするうちわ形飾り。
【請求項２】
前記持ち手の部分が、
一本のひも状材料を折り曲げて形成されており、
該ひも状材料の両端が、前記扇ぎ部を、その厚さ方向から挟むように該扇ぎ部に取付けられている
ことを特徴とする請求項１記載のうちわ形飾り。
【請求項３】
前記持ち手の部分の材料が、水引用ひもである
ことを特徴とする請求項１または２記載のうちわ形飾り。
【請求項４】
前記飾り物の長さが、５〜１５ｃｍである
ことを特徴とする請求項１、２または３記載のうちわ形飾り。
【請求項５】
前記飾り物が、紙のみで形成されている
ことを特徴とする請求項１、２、３または４記載のうちわ形飾り。
【考案の詳細な説明】
【技術分野】
【０００１】
本考案は、うちわ形飾りに関する。結婚式や誕生日、会席等のお祝いの席では、その祝い席を華やかに飾るために、仕出しの弁当や食事が種々の飾りによって装飾される。また、ひな祭りや端午の節句等において、店頭販売される食料品やノベルティー商品にも種々の飾りが付されて販売される。
本考案は、かかる食料品やノベルティー商品等を華やかに装飾するために使用されるうちわ形飾りに関する。
【背景技術】
【０００２】
従来から、折り詰に盛り付けられた料理において、その見た目の華やかさを演出するために、種々の飾りが使用されている。例えば、紅白や金銀に色付けされた扇や、金銀の紐によって鶴や亀を形成したものなどが使用されている。
【０００３】
しかるに、従来の飾りは、その形状を一定の形状に保つため、また、所定の位置に固定しておくために、針金等の金属材料が一部に使用されることが多い。すると、かかる飾りを使用した仕出し弁当を出荷前に金属探知機に通すと、飾りに反応してしまうため、金属探知機を通してから飾り付けをしなければならず手間がかかっていた。そして、一旦包んでしまえば、検査ができなくなってしまうため、食品の安全性にも不安が生じていた。
また、従来の飾りが飾り付けられていた弁当箱を廃棄するときには、飾りを弁当箱と別々に廃棄するか、または、飾りから金属材料を取り外して廃棄しなければならず、廃棄に手間がかかっていた。
さらに、従来の飾りは飾りとしてしか利用価値がなく、実用的な用途を有するものはあまりなかった。
【考案の開示】
【考案が解決しようとする課題】
【０００４】
本考案は上記事情に鑑み、金属材料を使用せず、廃棄が容易であり、従来にない形状を有しており、かつ箸置きとしても使用できるうちわ形飾りを提供することを目的とする。
【課題を解決するための手段】
【０００５】
第１考案のうちわ形飾りは、扇ぎ部と持ち手とを備えたうちわの形状をした飾り物であって、該飾り物が、紙のみで形成されており、前記持ち手の部分が、屈曲可能であって、かつ、屈曲させた状態で、その形状を保持可能な素材によって形成されていることを特徴とする。
第２考案のうちわ形飾りは、第１考案において、前記持ち手の部分が、一本のひも状材料を折り曲げて形成されており、該ひも状材料の両端が、前記扇ぎ部を、その厚さ方向から挟むように該扇ぎ部に取付けられていることを特徴とする。
第３考案のうちわ形飾りは、第１または２考案において、前記持ち手の部分の材料が、水引用ひもであることを特徴とする。
第４考案のうちわ形飾りは、第１、２または３考案において、前記飾り物の長さが、５〜１５ｃｍであることを特徴とする。
第５考案のうちわ形飾りは、第１、２、３または４考案において、前記飾り物が、紙のみで形成されていることを特徴とする。
【考案の効果】
【０００６】
第１考案によれば、従来見られなかったうちわ形状のかざりであるから、新鮮な感じを与えることができる。とくに、夏に提供される仕出しなどであれば、季節感と涼しげな雰囲気を見る者に与えることができる。また、持ち手の部分が、屈曲可能であって、かつ、屈曲させた状態で保持可能な素材によって形成されているから、例えば、Ｓ字状に屈曲させれば、箸置きの形状となるから、箸置きとしても使用可能である。つまり、飾りだけでなく、実用品としても使用することができる。
第２考案によれば、持ち手の部分で輪が形成されるから、引っかけて飾り付けることができる。そして、輪の部分に他の飾り物も取付けることができる。
第３考案によれば、可撓性を有していながらも、適度な強度を有しているので、所望の形状に変形させることができ、しかも、その形状を長時間保持させることができる。また、市場において入手が容易でありかつ安価であるから、飾り物の原価を安くすることができる。
第４考案によれば、長さが５〜１０ｃｍ程度であるから、仕出しの弁当や、食事が盛り付けられる食器などの上に飾り付けることとができ、しかも、目に付きすぎないから、料理を効果的に引き立てることができる。そして、ひな祭りや端午の節句等において、店頭販売される食料品やノベルティー商品であっても、場所を取らず、簡単に飾り付けることができる。
第５考案によれば、飾り物全体が紙のみで形成されているから、紙製の弁当箱等と一緒に廃棄できるので、廃棄処理を容易にすることができる。また、金属材料を全く使用しないので、金属探知機に反応しない。このため、飾り付けをしたままで金属探知機に通すことができるから、仕出し弁当等を包んでしまってからでも検査ができる。よって、検査が容易になるし、衛生的である。
【考案を実施するための最良の形態】
【０００７】
つぎに、本考案の実施形態を図面に基づき説明する。
図１（Ａ）は本実施形態のうちわ形飾り１の概略平面図であり、（Ｂ）はうちわ形飾り１の持ち手３を折り曲げた状態の説明図である。
【０００８】
図１に示すように、本実施形態のうちわ形飾り１は、通常のうちわを縮小したような形状に形成されたものであり、通常のうちわにおける風を起こすための扇ぎ部２と、人が手に持つ部分である持ち手３とを備えている。このうちわ飾り１は、その全長Ｌが約５〜１５ｃｍとなるように形成されており、また、扇ぎ部２の幅Ｗが約３〜１０ｃｍとなるように形成されている。
このため、本実施形態のうちわ形飾り１を、仕出しの弁当や、食事が盛り付けられる食器などの上に飾り付けることとができ、また、従来見られなかった形状のかざりであるから、うちわ形飾り１を見た人に新鮮な感じを与えることができる。とくに、夏に提供される仕出しなどに飾り付ければ、季節感と涼しげな雰囲気を見る者に与えることができる。
【０００９】
しかも、本実施形態のうちわ形飾り１は、その大きさが、仕出しの弁当の容器等と比べてもそれほど大きくないから、弁当を見たときにうちわ形飾り１が目に付きすぎないから、料理を効果的に引き立てることができる。そして、ひな祭りや端午の節句等において、店頭販売される食料品やノベルティー商品であっても、場所を取らず、簡単に飾り付けることができる。
とくに、うちわ形飾り１の全長Ｌを、約５〜１０ｃｍとすれば、や、その中に盛り付けられている料理に比べてもうちわ形飾り１がそれほど目立たないので、食品を盛り付ける小皿や祝の膳に出される重箱の中に収容して使用するものとして、好適である。
なお、うちわ形飾り１は、１５ｃｍよりも大きくてもよく、その場合には、その敷き紙等に使用することができる。
【００１０】
また、本実施形態のうちわ形飾り１は、持ち手３が、例えば、水引用ひも等の一本のひも状材料を折り曲げて形成されおり、この一本のひも状材料の両端が、扇ぎ部２を、その厚さ方向から挟むように扇ぎ部２に取付けられている。つまり、持ち手３は、一本のひも状材料によって輪ができるように扇ぎ部２に取付けられているのである。
このため、持ち手３の部分に別のひもを通したり、フック状の部分に引っかければ、うちわ形飾り１を他の部材に引っかけて飾り付けることができるから、うちわ形飾り１の飾り付けが容易になる。また、輪の部分に他の飾り物を取付けることもできるから、うちわ形飾り１の美観をさらに高めることができる。
【００１１】
また、持ち手３の材料である水引用ひもは、通常、紙をよって形成されており、可撓性を有しているから、持ち手３を曲げれば、持ち手３の形状を所望の形状に変形させることができる。しかも、水引用ひもは適度な強度を有しているので、変形させた状態で、その形状を長時間保持させることができる。よって、持ち手３の形状を変えれば、単なるうちわの形状だけでなく、特徴的な形状を有する飾りとしても使用することができる。
そして、図１（Ｂ）に示すように、持ち手３を変形させて、Ｓ字状に屈曲させれば、持ち手３の部分を箸置きとしても使用可能である。つまり、本実施形態のうちわ形飾り１は、持ち手３が可撓性を有しかつ適度な強度を有しているから、飾りだけでなく実用品としても使用することができる。
【００１２】
さらに、扇ぎ部２も紙で形成されている場合にはうちわ形飾り１全てが紙製になるので、本実施形態のうちわ形飾り１を、紙等の焼却可能な容器を使用している弁当箱等に飾り付けた場合には、本実施形態のうちわ形飾り１を弁当箱等と一緒に廃棄できるので、廃棄処理を容易にすることができる。
また、金属材料が取付けられておらす金属探知機に反応しないので、弁当箱等に飾り付けたままでも金属探知機に通すことができる。よって、仕出し弁当等を包んでしまってから金属探知機に通して検査ができるから、食品の検査が容易になる。また、包装してしまってから検査することから、衛生的である。
【００１３】
なお、持ち手３は、輪状に形成されていなくてもよく、一本のひも状材料の一端のみを扇ぎ部２に貼付けて形成してもよいし、二本のひも状材料を張り合わせて形成してもよく、とくに限定はない。また、ひも状材料は、複数の水引用ひも等を複数本束ねたり張り合わせたりすることによって形成されたものでもよく、とくに限定はない。
さらになお、扇ぎ部２および持ち手３の素材は紙に限られないが、金属材料を使用せず、焼却可能な材料のみによって形成されていれば廃棄処理が容易になるので好適である。
【産業上の利用可能性】
【００１４】
本考案のうちわ形飾りは、仕出しの弁当や食事、店頭販売される食料品、ノベルティー商品を飾り付けるために使用されるものであり、また、持ち手を変形させれば、箸置き等としても使用することができる。
【図面の簡単な説明】
【００１５】
【図１】（Ａ）は本実施形態のうちわ形飾り１の概略平面図であり、（Ｂ）はうちわ形飾り１の持ち手３を折り曲げた状態の説明図である。
【符号の説明】
【００１６】
１      うちわ形飾り１
３      持ち手
４      扇ぎ部
【図１】
0003103883.tif 000003